(57)【要約】【課題】  生産性が良く、安価で、小型のカメラモジュールを提供する。【解決手段】  本発明のカメラモジュールは、筒状部２を有する保持部材１と、筒状部２内に取り付けられたレンズ６と、このレンズ６に対向した状態で保持部材１に取り付けられた赤外線除去フィルタ７と、この赤外線除去フィルタ７の後部に配置された撮像素子９とを備え、撮像素子９がマザー基板１１の逃げ部１１ａ内に位置するため、高さ方向の占有容積が小さくなって、電気機器の小型化が図れると共に、赤外線除去フィルタ７に設けられた導電パターン８がマザー基板１１の配線パターン１２に接続されるため、カメラモジュールが面実装できて、従来の接続部材が不要となって、小型で、安価なものが得られる。【選択図】        図１
2006135451.tif 000002
【特許請求の範囲】
【請求項１】
筒状部を有する保持部材と、前記筒状部内に取り付けられたレンズと、このレンズに対向した状態で前記保持部材に取り付けられた赤外線除去フィルタと、この赤外線除去フィルタの後部に配置された撮像素子とを備え、前記赤外線除去フィルタの後面には、前記撮像素子を接続するための導電パターンが設けられると共に、配線パターン、及び前記撮像素子と対向する位置に設けられた孔、或いは凹部からなる逃げ部を備えたマザー基板を有し、前記撮像素子が前記逃げ部内に位置した状態で、前記撮像素子に接続された前記導電パターンが前記配線パターンに接続されたことを特徴とするカメラモジュール。
【請求項２】
前記保持部材は、第１，第２の前記筒状部を有し、前記第１の筒状部内には、前記レンズが取り付けられると共に、前記第１の筒状部よりも外形の大きな前記第２の筒状部内には、前記赤外線除去フィルタが取り付けられたことを特徴とする請求項１記載のカメラモジュール。
【請求項３】
前記撮像素子と前記導電パターン間、及び前記導電パターンと前記配線パターン間が半田、又はバンプによって接続されたことを特徴とする請求項１、又は２記載のカメラモジュール。
【請求項４】
前記導電パターンと前記配線パターン間が異方性導電部材によって接続されたことを特徴とする請求項１、又は２記載のカメラモジュール。
【請求項５】
前記赤外線除去フィルタがガラスで形成されると共に、前記赤外線除去フィルタに形成された前記導電パターンは、銅の下地上にニッケルが設けられ、このニッケル上に金を設けた構成としたことを特徴とする請求項１から４の何れかに記載のカメラモジュール。
【発明の詳細な説明】
【技術分野】
【０００１】
本発明は携帯電話機等の電気機器に使用して好適なカメラモジュールに関する。
【背景技術】
【０００２】
図３は従来のカメラモジュールの要部断面図を示し、従来のカメラモジュールの構成を図３に基づいて説明すると、筒状の保持部材５１内には、レンズ５２が取り付けられると共に、保持部材５１の後部には、導電パターン５３を設けた赤外線除去フィルタ５４が配置されると共に、赤外線除去フィルタ５４の延設部５４ａが保持部材５１の後部から横方向に突出して延びている。
【０００３】
また、赤外線除去フィルタ５４の後部には、撮像素子５５が配置され、この撮像素子５５は、バンプ５６によって導電パターン５３に接続されると共に、撮像素子５５の全体が樹脂部材５７によって覆われて、従来のカメラモジュールが形成されている。（例えば、特許文献１参照）
【０００４】
このような構成を有する従来のカメラモジュールは、ここでは図示しないが、撮像素子５５側が電気機器のマザー基板上に載置され、マザー基板に設けられた配線パターンと赤外線除去フィルタ５４の延設部５４ａに設けられた導電パターン５３がフレキシブル基板等からなる接続部材によって接続されるものである。
【０００５】
そして、従来のカメラモジュールは、赤外線除去フィルタ５４に接続用の延設部５４ａが設けられるため、大型で、コスト高になるばかりか、マザー基板への配線に接続部材を必要として、生産性が悪く、コスト高になり、且つ、カメラモジュールがマザー基板上から大きく突出して、電気機器の小型化が図れない。
【０００６】
【特許文献１】特開２００１−２０３９１３号公報
【発明の開示】
【発明が解決しようとする課題】
【０００７】
従来のカメラモジュールは、赤外線除去フィルタ５４に接続用の延設部５４ａが設けられるため、大型で、コスト高になるばかりか、マザー基板への配線に接続部材を必要として、生産性が悪く、コスト高になり、且つ、カメラモジュールがマザー基板上から大きく突出して、電気機器の小型化が図れないという問題がある。
【０００８】
そこで、本発明は生産性が良く、安価で、小型のカメラモジュールを提供することを目的とする。
【課題を解決するための手段】
【０００９】
上記課題を解決するための第１の解決手段として、筒状部を有する保持部材と、前記筒状部内に取り付けられたレンズと、このレンズに対向した状態で前記保持部材に取り付けられた赤外線除去フィルタと、この赤外線除去フィルタの後部に配置された撮像素子とを備え、前記赤外線除去フィルタの後面には、前記撮像素子を接続するための導電パターンが設けられると共に、配線パターン、及び前記撮像素子と対向する位置に設けられた孔、或いは凹部からなる逃げ部を備えたマザー基板を有し、前記撮像素子が前記逃げ部内に位置した状態で、前記撮像素子に接続された前記導電パターンが前記配線パターンに接続された構成とした。
【００１０】
また、第２の解決手段として、前記保持部材は、第１，第２の前記筒状部を有し、前記第１の筒状部内には、前記レンズが取り付けられると共に、前記第１の筒状部よりも外形の大きな前記第２の筒状部内には、前記赤外線除去フィルタが取り付けられた構成とした。
【００１１】
また、第３の解決手段として、前記撮像素子と前記導電パターン間、及び前記導電パターンと前記配線パターン間が半田、又はバンプによって接続された構成とした。
また、第４の解決手段として、前記導電パターンと前記配線パターン間が異方性導電部材によって接続された構成とした。
【００１２】
また、第５の解決手段として、前記赤外線除去フィルタがガラスで形成されると共に、前記赤外線除去フィルタに形成された前記導電パターンは、銅の下地上にニッケルが設けられ、このニッケル上に金を設けた構成とした。
【発明の効果】
【００１３】
本発明のカメラモジュールは、筒状部を有する保持部材と、筒状部内に取り付けられたレンズと、このレンズに対向した状態で保持部材に取り付けられた赤外線除去フィルタと、この赤外線除去フィルタの後部に配置された撮像素子とを備え、赤外線除去フィルタの後面には、撮像素子を接続するための導電パターンが設けられると共に、配線パターン、及び撮像素子と対向する位置に設けられた孔、或いは凹部からなる逃げ部を備えたマザー基板を有し、撮像素子が逃げ部内に位置した状態で、撮像素子に接続された導電パターンが配線パターンに接続された構成とした。
即ち、撮像素子がマザー基板の逃げ部内に位置するため、高さ方向の占有容積が小さくなって、電気機器の小型化が図れると共に、赤外線除去フィルタに設けられた導電パターンがマザー基板の配線パターンに接続されるため、カメラモジュールが面実装できて、従来の接続部材が不要となって、小型で、安価なものが得られる。
【００１４】
また、保持部材は、第１，第２の筒状部を有し、第１の筒状部内には、レンズが取り付けられると共に、第１の筒状部よりも外形の大きな第２の筒状部内には、赤外線除去フィルタが取り付けられたため、赤外線除去フィルタの位置決めと取付が簡単にできると共に、赤外線除去フィルタの小型化を図ることができる。
【００１５】
また、第３の解決手段として、前記撮像素子と前記導電パターン間、及び前記導電パターンと前記配線パターン間が半田、又はバンプによって接続された構成とした。
【００１６】
また、導電パターンと配線パターン間が異方性導電部材によって接続されたため、赤外線除去フィルタと撮像素子を組み合わせたユニット部品が保持部材に組み込まれて、カメラモジュールとした後、このカメラモジュールのマザー基板への接続構造が簡単となり、生産性の良好なものが得られる。
【００１７】
また、赤外線除去フィルタがガラスで形成されると共に、赤外線除去フィルタに形成された導電パターンは、銅の下地上にニッケルが設けられ、このニッケル上に金を設けた構成としたため、半田やバンプの接続が確実にできると共に、導電性の良好な導電パターンが得られる。
【発明を実施するための最良の形態】
【００１８】
本発明のカメラモジュールの図面を説明すると、図１は本発明のカメラモジュールの第１実施例に係る要部断面図、図２は本発明のカメラモジュールの第２実施例に係る要部断面図である。
【００１９】
次に、本発明のカメラモジュールの第１実施例に係る構成を図１に基づいて説明すると、合成樹脂の成型品等からなる保持部材１は、円筒からなる第１の筒状部２と、この第１の筒状部２の一端側から同方向に延びた第１の筒状部２より大きな四角筒からなる第２の筒状部３と、第１，第２の筒状部２，３の一端同士を繋ぎ、第１，第２の筒状部２，３との間に段差を持って形成された連結部４と、第１の筒状部２の前方部である他端側に設けられた前方壁部５を有する。
【００２０】
レンズ６は、前方壁部５に当接した状態で、第１の筒状部２内に取り付けられると共に、保持部材１の第２の筒状部３内には、レンズ６に対向した状態で、赤外線除去フィルタ（ＩＲカットフィルタ）７が配置され、この赤外線除去フィルタ７の前方部は、連結部４に係止された状態となっている。
【００２１】
また、赤外線除去フィルタ７の後面には、メッキ等によって形成された導電パターン８が設けられ、この導電パターン８は、銅の下地上にニッケルが設けられ、このニッケル上に金を設けた構成となっている。
【００２２】
撮像素子９は、赤外線除去フィルタ７の後部に配置され、この撮像素子９は、半田やバンプ等からなる接続導体１０によって、導電パターン８に接続、固定されると共に、撮像素子９が赤外線除去フィルタ７に取り付けられた際、導電パターン８の一部は、撮像素子９外に突出して、保持部材１の後部から露出した状態となっている。
【００２３】
電気機器に使用されるマザー基板１１は、孔からなる逃げ部１１ａと、配線パターン１２を有し、このマザー基板１１には、撮像素子９が逃げ部１１ａ内に位置した状態で、撮像素子９に接続された導電パターン８が配線パターン１２に接続されている。
即ち、カメラモジュールは、マザー基板１１に面実装されると共に、導電パターン８と配線パターン１２間は、半田やバンプ等からなる接続導体１３によって接続されている。
【００２４】
また、図２は本発明のカメラモジュールの第２実施例例を示し、この第２実施例の構成を説明すると、マザー基板１１に設けられた逃げ部１１ａは、凹部によって形成されると共に、導電パターン８と配線パターン１２間は、異方性導電部材からなる接続導体１３によって接続されたものである。
なお、その他の構成は、上記第１実施例と同様の構成を有し、同一部品に同一番号を付し、ここではその説明を省略する。
【００２５】
なお、上記実施例では、赤外線除去フィルタ７が第２の筒状部３内に収納されてもので説明したが、保持部材１の筒状部外に赤外線除去フィルタ７を配置しても良い。
【図面の簡単な説明】
【００２６】
【図１】本発明のカメラモジュールの第１実施例に係る要部断面図。
【図２】本発明のカメラモジュールの第２実施例に係る要部断面図。
【図３】従来のカメラモジュールに係る要部断面図。
【符号の説明】
【００２７】
１：保持部材
２：第１の筒状部
３：第２の筒状部
４：連結部
５：前方壁部
６：レンズ
７：赤外線除去フィルタ
８：導電パターン
９：撮像素子
１０：接続導体
１１：マザー基板
１１ａ：逃げ部
１２：配線パターン
１３：接続導体
【図１】
2006135451.tif 000003
【図２】
2006135451.tif 000004
【図３】
2006135451.tif 000005